(57)【要約】【課題】近傍に配置された異なる波長のレーザ光を出射するレーザ光源を有する光学ピックアップ及びディスクドライブ装置において、レーザ光源から出射されたレーザ光が対物レンズに入射したときに発生するコマ収差を、部品点数を増やすことなく既存の構成部品によって補正することができるようにする。【解決手段】光学ピックアップ１２及びディスクドライブ装置１において、２つのレーザ光源１５ａ、１５ｂのうち一方をレーザ光学系１６の光軸ｘ１上に、他方をレーザ光学系の光軸上から外れた位置にそれぞれ配置し、他方のレーザ光源から出射されたレーザ光が入射したときにコマ収差が発生するようにコリメータレンズ１８を構成し、該コリメータレンズで発生するコマ収差が、光軸から外れた位置に配置されたレーザ光源から出射されたレーザ光が対物レンズ２０に入射したときに発生するコマ収差を補正するようにした。【選択図】　　　　　図４
2004013946.tif 000002
【特許請求の範囲】
【請求項１】
光記録媒体に対しレーザ光を照射することによって情報の記録及び／又は読み取りを行う光学ピックアップであって、
第１の波長のレーザ光を出射する第１のレーザ光源と、第２の波長のレーザ光を出射する第２のレーザ光源と、上記第１のレーザ光源及び第２のレーザ光源から出射されたレーザ光が入射されるコリメータレンズと、該コリメータレンズを透過したレーザ光を光記録媒体の記録層に集光させる対物レンズとを有するレーザ光学系を備え、
上記第１のレーザ光源及び第２のレーザ光源は、双方が近傍に配置されると共に、一方が上記レーザ光学系の光軸上に、他方が上記レーザ光学系の光軸上から外れた位置にそれぞれ配置され、
上記レーザ光学系の光軸から外れた位置に配置されたレーザ光源から出射されたレーザ光が入射したときにコマ収差が発生するようにコリメータレンズを構成し、該コリメータレンズで発生するコマ収差が、上記レーザ光学系の光軸から外れた位置に配置されたレーザ光源から出射されたレーザ光が対物レンズに入射したときに発生するコマ収差を補正するようにした
ことを特徴とする光学ピックアップ。
【請求項２】
コリメータレンズと対物レンズとの間に、コリメータレンズから出射したレーザ光を対物レンズの方向に反射させる反射手段を設けた
ことを特徴とする請求項１に記載の光学ピックアップ
【請求項３】
上記コリメータレンズは、一方の面が凹面、他方の面が凸面によって構成されている
ことを特徴とする請求項１に記載の光学ピックアップ。
【請求項４】
上記コリメータレンズは、少なくとも一方の面が非球面によって構成されている
ことを特徴とする請求項１に記載の光学ピックアップ。
【請求項５】
回転するディスク状光記録媒体に対し、該ディスク状光記録媒体の半径方向に移動自在とされた光学ピックアップによって情報の記録及び／又は読み取りを行うディスクドライブ装置であって、
上記光学ピックアップは、第１の波長のレーザ光を出射する第１のレーザ光源と、第２の波長のレーザ光を出射する第２のレーザ光源と、上記第１のレーザ光源及び第２のレーザ光源から出射されたレーザ光が入射されるコリメータレンズと、該コリメータレンズを透過したレーザ光をディスク状光記録媒体の記録層に集光させる対物レンズとを有するレーザ光学系を備え、
上記第１のレーザ光源及び第２のレーザ光源は双方が近傍に配置されると共に、一方が上記レーザ光学系の光軸上に、他方が上記レーザ光学系の光軸から外れた位置にそれぞれ配置され、
上記レーザ光学系の光軸から外れた位置に配置されたレーザ光源から出射されたレーザ光が入射したときにコマ収差が発生するようにコリメータレンズを構成し、該コリメータレンズで発生するコマ収差が、上記レーザ光学系の光軸から外れた位置に配置されたレーザ光源から出射されたレーザ光が対物レンズに入射したときに発生するコマ収差を補正するようにした
ことを特徴とするディスクドライブ装置。
【請求項６】
コリメータレンズと対物レンズとの間に、コリメータレンズから出射したレーザ光を対物レンズの方向に反射させる反射手段を設けた
ことを特徴とする請求項５に記載のディスクドライブ装置
【請求項７】
上記コリメータレンズは、一方の面が凹面、他方の面が凸面によって構成されている
ことを特徴とする請求項５に記載のディスクドライブ装置。
【請求項８】
上記コリメータレンズは、少なくとも一方の面が非球面によって構成されている
ことを特徴とする請求項５に記載のディスクドライブ装置。
【発明の詳細な説明】
【０００１】
【発明が属する技術分野】
本発明は、光学ピックアップ及びディスクドライブ装置に関する。詳しくは、近傍に配置され異なる波長のレーザ光を出射する２つのレーザ光源を有する光学ピックアップ及びそのような光学ピックアップを備えたディスクドライブ装置において、レーザ光源から出射されたレーザ光が対物レンズに入射したときに発生するコマ収差によるビームスポットへの影響を軽減するための技術に関する。
【０００２】
【従来の技術】
ディスクドライブ装置は、回転するディスク状をした光記録媒体に対し、該光記録媒体の半径方向に移動自在とされた光学ピックアップによって情報の記録及び／又は読み取りを行うものである。そして、ディスクドライブ装置には、ＣＤ（Ｃｏｍｐａｃｔ　Ｄｉｓｃ）やＤＶＤ（Ｄｉｇｉｔａｌ　Ｖｅｒｓａｔｉｌｅ　Ｄｉｓｃ）など、使用するレーザ光の波長が異なる２種類のディスク状光記録媒体に対して情報の記録及び／又は読み取りを行うものがある。
【０００３】
２種類のディスク状光記録媒体に対応したディスクドライブ装置に用いられる光学ピックアップにあっては、通常、２種類のディスク状光記録媒体に対して情報の記録及び／又は読み取りを行うために、それぞれに適した波長のレーザ光を出射する２つのレーザ光源を有している。
【０００４】
図６は、上記したような２種類のディスク状光記録媒体に対応した光学ピックアップを示す。
【０００５】
光学ピックアップａは、レーザ発光素子ｂ、ビームスプリッタｃ、コリメータレンズｄ、対物レンズｅ、フォトディテクタｆなどを有するレーザ光学系ｇを備える。レーザ発光素子ｂは、例えば、ＤＶＤである第１のディスク状光記録媒体（以下、「第１の光ディスク」という。）ｈに波長６５０ｎｍのレーザ光（以下、「第１のレーザ光」という。）ｉを出射する第１のレーザ光源ｂ１と、例えば、ＣＤである第２のディスク状光記録媒体（以下、「第２の光ディスク」という。）、ｊに波長７８０ｎｍのレーザ光（以下、「第２のレーザ光」という。）ｋを出射する第２のレーザ光源ｂ２を有する。
【０００６】
上記第１のレーザ光ｉ及び第２のレーザ光ｋは、上記ビームスプリッタｃ及びコリメータレンズｄを透過した後、対物レンズｅによって、それぞれ種類の異なる第１の光ディスクｈ又は第２の光ディスクｊの記録層上に集光される。第１の光ディスクｈ又は第２の光ディスクｊの記録層でそれぞれ反射された第１のレーザ光ｉ又は第２のレーザ光ｋは、上記とは逆に、対物レンズｅ、コリメータレンズｄを透過し、ビームスプリッタｃによって反射されて光路が曲げられ、フォトディテクタｆによって受光される。
【０００７】
レーザ光源が１つの場合には、レーザ光源は通常、レーザ光学系の光軸上に配置される。しかし、上記光学ピックアップａのように２つのレーザ光源ｂ１及びｂ２を有する場合にあっては、２つのレーザ光源を共にレーザ光学系の光軸上に配置することは不可能である。
【０００８】
そのため、一方のレーザ光源をレーザ光学系の光軸上に配置し、他方のレーザ光源をレーザ光学系の光軸から外れた位置に配置するか、又は、双方のレーザ光源の間にレーザ光学系の光軸を配置する必要がある。
【０００９】
上記したような理由によって、上記光学ピックアップａにあっては、第１のレーザ光源ｂ１はレーザ光学系ｇの光軸（以下、「主光軸」という。）ｘ１上に位置するように配置され、第２のレーザ光源ｂ２は主光軸ｘ１から僅かに外れた位置に配置されている。したがって、第１の光源ｂ１から出射される第１のレーザ光ｉの光軸ｘ２は上記主光軸ｘ１と重なり合い、第２の光源ｂ２から出射される第２のレーザ光ｋの光軸ｘ３は上記主光軸ｘ１に対して傾斜した状態になる。なお、２つのレーザ光源を有するレーザ発光素子において２つのレーザ光源の間隔は、一般的に、０．１ｍｍ程度である。
【００１０】
【発明が解決しようとする課題】
光学ピックアップａにあっては、レーザ発光素子ｂから出射される第１のレーザ光ｉ及び第２のレーザ光ｋは、それぞれコリメータレンズｄによって平行光束にされる。
【００１１】
主光軸ｘ１上に位置した第１のレーザ光源ｂ１から出射した第１のレーザ光ｉは、コリメータレンズｄによって主光軸ｘ１と平行な光束にされた後、対物レンズｅに入射される。
【００１２】
しかし、主光軸ｘ１から僅かに外れた位置にある第２のレーザ光源ｂ２から出射した第２のレーザ光ｋは、対物レンズｅに主光軸ｘ１に対して傾斜した光軸ｘ３に平行な光束として対物レンズｅに入射することになる。したがって、第２のレーザ光ｋが主光軸ｘ１に対して傾斜した平行光束のまま対物レンズｅに斜めに入射すると、対物レンズｅではコマ収差が発生して第２の光ディスクｊの記録層上に形成されるビームスポットの集光特性などが劣化してしまうことになる。
【００１３】
そこで、上記光学ピックアップａにおいては、コリメータレンズｄと対物レンズｅとの間に、例えば、ホログラフィック光学素子などを使用した傾斜補正手段ｌが設けられている。傾斜補正手段ｌは、コリメータレンズｄによって主光軸ｘ１に対して傾斜している平行光束とされた第２のレーザ光ｋを、主光軸ｘ１と平行な光束に補正するものである。第２のレーザ光源ｂ２から出射されたレーザ光は、上記傾斜補正手段ｌによって主光軸ｘ１に対して平行な光束とされるので、第１のレーザ光ｉと同様に、対物レンズｅに斜めに入射することがなく、対物レンズｅでコマ収差が発生することがなくなる。
【００１４】
しかし、上記光学ピックアップａにあっては、上記傾斜補正手段ｌが第２のレーザ光ｋの主光軸ｘ１に対する傾斜を補正するためだけに、レーザ光学系ｇに付加されている。したがって、傾斜補正手段ｌをレーザ光学系ｇに付加することによって、光学ピックアップａにあっては構成部品の点数が増えて製造コストが高くなってしまうという問題や、光学ピックアップにａに傾斜補正手段ｌを配置するスペースが新たに必要になるという問題があった。
【００１５】
また、２つのレーザ光源を有するレーザ発光素子においては、製造誤差などによって２つのレーザ光源の間の間隔がばらついてしまうことがある。
【００１６】
そこで、例えば、上記レーザ発光素子ｂにおいては、第１のレーザ光源ｂ１と第２のレーザ光源ｂ２との間の間隔にばらつきが生じると、主光軸ｘ１に対する第２のレーザ光ｋの光軸ｘ３の角度が設計値から変わってしまい、傾斜補正手段ｌを透過した後でも第２のレーザ光ｋが主光軸ｘ１に対して平行にならず、対物レンズｅに斜めに入射することになってしまう。このようなばらつきによる第２のレーザ光ｋの光軸ｘ３の角度変化を補正するためには、傾斜補正手段ｌの角度や位置などを細かく調整しなければならず、また、主光軸ｘ１に対する第２のレーザ光ｋの光軸ｘ３の特定の角度に依存した構成を有する傾斜補正手段ｌにあっては調整すること自体が不可能であることもある。
【００１７】
また、２つのレーザ光源を有するレーザ発光素子において、２つのレーザ光源の間の間隔のばらつきを抑えるためには、製造時において、レーザ発光素子に２つのレーザ光源の間の間隔に関する高い精度が必要になり、レーザ発光素子の製造コストの上昇を招くことにもなる。
【００１８】
本発明は、上記した問題点に鑑み、近傍に配置された異なる波長のレーザ光を出射するレーザ光源を有する光学ピックアップ及びディスクドライブ装置において、レーザ光源から出射されたレーザ光が対物レンズに入射したときに発生するコマ収差を、部品点数を増やすことなく既存の構成部品によって補正することができるようにすることを課題とする。
【００１９】
【課題を解決するための手段】
本発明光学ピックアップは、上記課題を解決するために、第１の波長のレーザ光を出射する第１のレーザ光源と第２の波長のレーザ光を出射する第２のレーザ光源と第１のレーザ光源及び第２のレーザ光源から出射されたレーザ光が入射されるコリメータレンズと該コリメータレンズを透過したレーザ光を光記録媒体の記録層に集光させる対物レンズとを有するレーザ光学系を備え、第１のレーザ光源及び第２のレーザ光源は双方を近傍に配置すると共に、一方をレーザ光学系の光軸上に、他方をレーザ光学系の光軸上から外れた位置にそれぞれ配置し、光軸から外れた位置に配置されたレーザ光源から出射されたレーザ光が入射したときにコマ収差が発生するようにコリメータレンズを構成し、該コリメータレンズで発生するコマ収差が、光軸から外れた位置に配置されたレーザ光源から出射されたレーザ光が対物レンズに入射したときに発生するコマ収差を補正するようにしたものである。
【００２０】
また、本発明ディスクドライブ装置は、光学ピックアップが、第１の波長のレーザ光を出射する第１のレーザ光源と第２の波長のレーザ光を出射する第２のレーザ光源と第１のレーザ光源及び第２のレーザ光源から出射されたレーザ光が入射されるコリメータレンズと該コリメータレンズを透過したレーザ光をディスク状光記録媒体の記録層に集光させる対物レンズとを有するレーザ光学系を備え、第１のレーザ光源及び第２のレーザ光源は双方を近傍に配置すると共に、一方をレーザ光学系の光軸上に、他方をレーザ光学系の光軸上から外れた位置にそれぞれ配置し、光軸から外れた位置に配置されたレーザ光源から出射されたレーザ光が入射したときにコマ収差が発生するようにコリメータレンズを構成し、該コリメータレンズで発生するコマ収差が、光軸から外れた位置に配置されたレーザ光源から出射されたレーザ光が対物レンズに入射したときに発生するコマ収差を補正するようにしたものである。
【００２１】
したがって、本発明光学ピックアップ及びディスクドライブ装置にあっては、コリメータレンズでは、対物レンズで発生するコマ収差を補正するコマ収差が発生する。
【００２２】
【発明の実施の形態】
以下に、本発明光学ピックアップ及びディスクドライブ装置の実施の形態について、添付図面を参照して説明する。なお、以下に示す実施の形態は、本発明を、ＣＤ（Ｃｏｍｐａｃｔ　Ｄｉｓｃ）及びＤＶＤ（Ｄｉｇｉｔａｌ　Ｖｅｒｓａｔｉｌｅ　Ｄｉｓｃ）の双方に対応し、これら２種類のディスク状光記録媒体に対して情報の書き込み及び読み取りを行うようにされた記録再生装置としてのディスクドライブ装置に適用したものである。
【００２３】
なお、本発明が適用される、光記録媒体に対して情報の記録及び／又は読み取りを行う光学ピックアップ及びディスクドライブ装置とは、光記録媒体に対して情報の記録及び読み取りの両方を行う光学ピックアップ及びディスクドライブ装置（記録再生装置）、光記録媒体に対して情報の記録のみを行う記録専用の光学ピックアップ及びディスクドライブ装置（記録専用装置）並びに光記録媒体から情報の読み取りのみを行う光学ピックアップ及びディスクドライブ装置（再生専用装置）を含むものである。
【００２４】
最初に、ディスクドライブ装置の概要を説明する。
【００２５】
ディスクドライブ装置１は、図１及び図２に示すように、各種機構が配置されたメカフレーム２を有する。上記メカフレーム２の上方、左右及び前後は、ネジ止めなどの適宜な手段によってメカフレーム２に取り付けられるカバー体３及び前面パネル４によって覆われている。
【００２６】
上記カバー体３は天板部３ａと該天板部３ａの両側縁からそれぞれ垂設された側面部３ｂ、３ｂと図示しない後面部とが一体に形成されて成る。
【００２７】
前面パネル４には横長の開口４ａが形成され、該開口４ａを開閉する扉体５がその上端部を支点として前面パネル４に回動自在に支持されている。また、前面パネル４には各種操作を行う操作ボタン６、６、…が配設されている。
【００２８】
上記メカフレーム２は、図２に示すように、各種機構が配置される機構配置面部７ａと、該機構配置面部７ａの両側縁から立設された側部７ｂ、７ｂとを有し、上記機構配置面部７ａの前端部にカム板や各種ギアを有するローディング機構８が配置されている。
【００２９】
メカフレーム２には、図２に示すように、ディスクトレイ９が前後方向に移動自在に支持されている。該ディスクトレイ９には前後方向に長い挿通孔９ａとディスク状光記録媒体（以下、単に「光ディスク」という。）が載置されるディスク載置凹部９ｂが形成されている。なお、ディスクドライブ装置１で使用される光ディスクは、例えば、ＤＶＤである第１の光ディスク１００Ａと、例えば、ＣＤである第２の光ディスク１００Ｂである。
【００３０】
ディスク載置凹部９ｂに第１の光ディスク１００Ａ又は第２の光ディスク１００Ｂを載置する時及びディスク載置凹部９ｂから第１の光ディスク１００Ａ又は第２の光ディスク１００Ｂを取り出す時には、ディスクトレイ９は上記ローディング機構８によって、前面パネル４の開口４ａから外部に突出される。また、第１の光ディスク１００Ａ又は第２の光ディスク１００Ｂに対して情報の書き込み又は情報の読み取りを行う時には、ディスクトレイ９はディスク載置凹部９ｂに第１の光ディスク１００Ａ又は第２の光ディスク１００Ｂを載置した状態でローディング機構８によって装置内部に引き込まれる。
【００３１】
また、メカフレーム２の機構配置面部７ａには、図２に示すように、移動フレーム１０がその後端部を支点として回動自在な状態で支持されている。
【００３２】
上記移動フレーム１０の前端部には、第１の光ディスク１００Ａ又は第２の光ディスク１００Ｂを回転させるためのモータユニット１１が配置されている。モータユニット１１は、ディスクテーブル１１ａと該ディスクテーブル１１ａを回転させる駆動モータ１１ｂを有する。また、移動フレーム１０には光学ピックアップ１２が図示しないガイド軸によってディスクテーブル１１ａに装着された第１の光ディスク１００Ａ又は第２の光ディスク１００Ｂの半径方向に移動可能な状態で支持されている。上記移動フレーム１０に支持された図示しないリードスクリューが光学ピックアップ１２の移動ベース１３と螺合されている。
【００３３】
さらに、移動フレーム１０には上記リードスクリューを回転させる送りモータ１４が支持されている。したがって、リードスクリューが送りモータ１４によって回転されると、該リードスクリューによって移動ベース１３が送られ、リードスクリューの回転方向に応じた方向へ光学ピックアップ１２がガイド軸に案内されて移動される。
【００３４】
ディスクドライブ装置１においては、第１の光ディスク１００Ａ又は第２の光ディスク１００Ｂがディスクトレイ９のディスク載置凹部９ｂに載置された状態で装置内部に引き込まれ、第１の光ディスク１００Ａ又は第２の光ディスク１００Ｂの下方に位置していた移動フレーム１０が回動して上方へ移動することによって、第１の光ディスク１００Ａ又は第２の光ディスク１００Ｂがディスクテーブル１１ａ上に載置される。そして、第１の光ディスク１００Ａ又は第２の光ディスク１００Ｂは図示しないチャッキング部材によってディスクテーブル１１ａ上にチャッキングされて保持され、モータユニット１１の駆動モータ１１ｂによる駆動によってディスクテーブル１１ａと共に回転される。この時、光学ピックアップ１２は回転している第１の光ディスク１００Ａ又は第２の光ディスク１００Ｂの半径方向に移動しながら第１の光ディスク１００Ａ又は第２の光ディスク１００Ｂに対する情報の記録又は読み取りを行う。
【００３５】
図３は上記ディスクドライブ装置１の回路構成の概略を示すものである。
【００３６】
ディスクドライブ装置１は、各部の動作を制御する制御部１０１と、第１の光ディスク１００Ａ又は第２の光ディスク１００Ｂから読み取った情報及び第１の光ディスク１００Ａ又は第２の光ディスク１００Ｂに記録する情報を処理する信号処理部１０２を有する。
【００３７】
制御部１０１は第１の光ディスク１００Ａ又は第２の光ディスク１００Ｂから読み取られ信号処理部１０２を介して入力された各種情報に基づいて上記駆動モータ１１ｂと送りモータ１４の回転、光学ピックアップ１２の図示しない２軸アクチュエータによるトラッキングサーボおよびフォーカシングサーボの動作などを制御し、操作ボタン６、６、…を備えた操作部１０３を介して入力された信号に基づいて各部の動作の指示を行い、さらに、信号処理部１０２による第１の光ディスク１００Ａ又は第２の光ディスク１００Ｂに記録された情報信号の処理の制御などを行うものである。
【００３８】
信号処理部１０２は光学ピックアップ１２によって読み出された第１の光ディスク１００Ａ又は第２の光ディスク１００Ｂに記録された情報信号にデコードなどの適宜な処理を行って出力端子１０４から出力すると共に、入力端子１０５から入力された情報信号にエンコードなどの適宜な処理を行い、信号処理部１０２によって処理された情報信号は、光学ピックアップ１２によって第１の光ディスク１００Ａ又は第２の光ディスク１００Ｂに記録される。
【００３９】
次に、第１の光ディスク１００Ａ又は第２の光ディスク１００Ｂに対する情報の記録及び読み取りを行う光学ピックアップ１２の構成について説明する。
【００４０】
光学ピックアップ１２は、図２に示すように、図示しないガイド軸及びリードスクリューによって移動フレーム１０に支持された移動ベース１３上に、後述するレーザ発光素子、対物レンズや受光素子などの所要の光学素子から成るレーザ光学系及び対物レンズを支持する図示しない２軸アクチュエータなどが搭載されて成る。
【００４１】
光学ピックアップ１２は、図４に示すように、レーザ光を第１の光ディスク１００Ａ又は第２の光ディスク１００Ｂの記録層上に照射する手段としての、レーザ発光素子１５及びレーザ光学系１６を有する。
【００４２】
レーザ発光素子１５は、第１の光ディスク１００Ａ用の波長６５０ｎｍのレーザ光（以下、「第１のレーザ光」という。）Ｌ１を出射する第１のレーザ光源１５ａと、第２の光ディスク１００Ｂ用の波長７８０ｎｍのレーザ光（以下、「第２のレーザ光」という。）Ｌ２を出射する第２のレーザ光源１５ｂを有する。
【００４３】
第１のレーザ光源１５ａは上記レーザ光学系１６の光軸（以下、「主光軸」という。）ｘ１上に位置するように配置され、第１のレーザ光Ｌ１の光軸ｘ２が主光軸ｘ１と重なり合っている。これに対し、第２のレーザ光源１５ｂは主光軸ｘ１から僅かに外れた位置に配置され、第２のレーザ光Ｌ２の光軸ｘ３は上記主光軸ｘ１に対して傾斜した状態になっている（図４参照）。なお、上記２つのレーザ光源１５ａと１５ｂとの間の間隔は、３０μｍ乃至５００μｍにされている。
【００４４】
上記レーザ光学系１６は、図４に示すように、ビームスプリッタ１７、コリメータレンズ１８、反射手段（反射ミラー）１９、対物レンズ２０及び調整レンズ２１を有する。
【００４５】
ビームスプリッタ１７は２つの直角プリズムを斜面同士で接着して成り、接着面が反射透過面１７ａとされ、レーザ発光素子１５から出射されたレーザ光を反射透過面１７ａによって対物レンズ２０に向かう方向に反射させ、第１の光ディスク１００Ａの記録層又は第２の光ディスク１００Ｂの記録層で反射されて戻ってきた戻りレーザ光を反射透過面１７ａで透過させるようになっている。
【００４６】
コリメータレンズ１８は、レーザ発光素子１５側の凹面に形成された第１面Ｓ１及び対物レンズ２０側の凸面に形成された第２面Ｓ２を有するメニスカス形状を為す。なお、上記コリメータレンズ１８の第１面Ｓ１を凸面に、第２面Ｓ２を凹面に形成することも可能である。
【００４７】
上記第１面Ｓ１は球面によって構成され、第２面Ｓ２は非球面によって構成される。なお、非球面によって構成される面は第２面Ｓ２に限定されるわけではなく、第１面Ｓ１であっても、第１面Ｓ１と第２面Ｓ２の双方共であっても良い。また、必ずしも第１面Ｓ１及び第２面Ｓ２のうちの少なくとも一方の面を非球面で構成する必要もなく、第１面Ｓ１及び第２面Ｓ２を共に球面によって構成しても良い。
【００４８】
コリメータレンズ１８は、主光軸ｘ１に対して傾斜した光軸を有するレーザ光が入射したときにコマ収差が発生するように構成されている。したがって、レーザ光源１５ｂから出射され、主光軸ｘ１に対して傾斜した光軸ｘ３を有する第２のレーザ光Ｌ２が入射したときにはコマ収差が発生する。そして、この第２のレーザ光Ｌ２が入射したときにコリメータレンズ１８で発生するコマ収差が、第２のレーザ光Ｌ２が対物レンズ２０に入射したときに発生するコマ収差を補正するように働く。
【００４９】
なお、コリメータレンズ１８によって発生するコマ収差によって対物レンズ２０で発生するコマ収差を補正するという概念は、両方のコマ収差が打ち消し合う場合と、コリメータレンズ１８で発生するコマ収差によって対物レンズ２０で発生したコマ収差が低減される場合とを共に含む概念である。
【００５０】
反射手段１９は、コリメータレンズ１８を透過したレーザ光の光路を反射によって約９０°折り曲げて対物レンズ２０に入射させる。
【００５１】
対物レンズ２０は、レーザ発光素子１５から出射され、それぞれ異なる波長を有する第１のレーザ光Ｌ１及び第２のレーザ光Ｌ２に対応したものであり、入射した第１のレーザ光Ｌ１又は第２のレーザ光Ｌ２をそれぞれ、第１の光ディスク１００Ａの記録層又は第２の光ディスク１００Ｂの記録層に集光してビームスポットを形成する。
【００５２】
調整レンズ２１は第１のレーザ光Ｌ１又は第２のレーザ光Ｌ２の戻り光がフォトディテクタ２２の受光面２２ａに集光するように、上記戻り光が集光する位置を調整する機能を有する。
【００５３】
フォトディテクタ（受光素子）２２は受光した第１のレーザ光Ｌ１又は第２のレーザ光Ｌ２の戻り光を電気信号に変換する。
【００５４】
レーザ発光素子１５の第１のレーザ光源１５ａから出射された第１のレーザ光Ｌ１は、図４に示すように、ビームスプリッタ１７の反射透過面１７ａで反射され、コリメータレンズ１８によって主光軸ｘ１と平行な光束にされた後、反射手段１９で再度反射されて対物レンズ２０に入射される。対物レンズ２０に入射された第１のレーザ光Ｌ１は第１の光ディスク１００Ａの記録層上に集光してビームスポットを形成する。
【００５５】
第１のレーザ光Ｌ１は、第１のレーザ光源１５ａが主光軸ｘ１上に配置され、その光軸ｘ２と主光軸ｘ１とが重なり合った状態となっているため、コリメータレンズ１８及び対物レンズ２０でコマ収差が発生することはない。したがって、第１の光ディスク１００Ａの記録層上には各種特性が良好なビームスポットが形成される。
【００５６】
また、第１の光ディスク１００Ａの記録層上で反射された第１のレーザ光Ｌ１の戻り光は、図４に示すように、対物レンズ２０、反射手段１９、コリメータレンズ１８の順に、上記と逆の光路を辿ってビームスプリッタ１７に入射する。ビームスプリッタ１７に入射した第１のレーザ光Ｌ１の戻り光は反射透過面１７ａを透過し、調整レンズ２１を経てフォトディテクタ２２の受光面２２ａ上に集光される。フォトディテクタ２２によって受光された第１のレーザ光Ｌ１の戻り光は電気信号に変換され信号処理部１０２及び制御部１０１に送られて、これに含まれる一部の信号がトラッキングサーボ及びフォーカシングサーボ調整に利用されると共に情報の読み取り時には第１の光ディスク１００Ａに記録された情報が再生される。
【００５７】
レーザ発光素子１５の第２のレーザ光源１５ｂから出射された第２のレーザ光Ｌ２は、図４に示すように、ビームスプリッタ１７の反射透過面１７ａで反射され、コリメータレンズ１８に入射される。コリメータレンズ１８では、第２のレーザ光Ｌ２の光軸ｘ３が主光軸ｘ１に対して傾斜しているため、コマ収差が発生する。そして、コリメータレンズ１８によって光軸ｘ３と平行な光束にされると共に上記コマ収差の成分を含んだ第２のレーザ光Ｌ２は、反射手段１９で再度反射されて対物レンズ２０に入射される。
【００５８】
コリメータレンズ１８によって平行光束にされた後でも、第２のレーザ光Ｌ２は依然として、主光軸ｘ１に対して傾斜した光軸ｘ３に平行な光束であるため、対物レンズ２０においてもコマ収差が発生する。しかし、対物レンズ２０に入射した第２のレーザ光Ｌ２には、コリメータレンズ１８で発生したコマ収差の成分が含まれているため、対物レンズ２０で発生したコマ収差によってコリメータレンズ１８で発生したコマ収差が補正され、対物レンズ２０から出射した第２のレーザ光Ｌ２にはコマ収差の成分が殆ど含まれないことになる。したがって、第２のレーザ光Ｌ２によっても、第２の光ディスク１００Ｂの記録層上に各種特性が良好なビームスポットが形成される。
【００５９】
なお、コリメータレンズ１８及び対物レンズ２０に第２のレーザ光Ｌ２がそれぞれ入射した時に発生するコマ収差の量は、コリメータレンズ１８及び対物レンズ２０への入射角度、すなわち、主光軸ｘ１に対して第２のレーザ光Ｌ２の光軸ｘ３が為す角度に比例する。
【００６０】
したがって、第２のレーザ光Ｌ２の入射角度が変わって対物レンズ２０で発生するコマ収差の量が増減したときでも、コリメータレンズ１８と対物レンズ２０との間に反射手段１９が介在することによって、第２のレーザ光Ｌ２のコリメータレンズ１８に対する入射角度が対物レンズ２０に対する第２のレーザ光Ｌ２の入射角度に比例して逆方向となるため、第２のレーザ光Ｌ２がコリメータレンズ１８に入射するため、コリメータレンズ１８の角度や位置を調整することなく、コリメータレンズ１８で発生するコマ収差によって対物レンズ２０で発生するコマ収差を補正することができる。このため、製造誤差によるレーザ発光素子１５の第１のレーザ光源１５ａと第２のレーザ光源１５ｂとの間の間隔のばらつきによって主光軸ｘ１に対する光軸ｘ３の角度がばらついても、その影響を受けることがない。
【００６１】
第２の光ディスク１００Ｂの記録層上で反射された第２のレーザ光Ｌ２の戻り光は、図４に示すように、上記と逆の光路を辿ってビームスプリッタ１７に入射する。ビームスプリッタ１７に入射した第２のレーザ光Ｌ２の戻り光は反射透過面１７ａを透過し、調整レンズ２１を経てフォトディテクタ２２の受光面２２ａに集光する。フォトディテクタ２２によって受光された第２のレーザ光Ｌ２の戻り光は電気信号に変換され信号処理部１０２及び制御部１０１に送られて、これに含まれる一部の信号がトラッキングサーボ及びフォーカシングサーボ調整に利用されると共に情報の読み取り時には第２の光ディスク１００Ｂに記録された情報が再生される。
【００６２】
なお、ディスク状光記録媒体１００Ｂの記録層上で反射された第２のレーザ光Ｌ２の戻り光に関しても、対物レンズ２０で発生するコマ収差をコリメータレンズ１８によって補正することを考慮しても良い。
【００６３】
また、上記レーザ発光素子１５は、ＤＶＤ用の波長６５０ｎｍの第１のレーザ光Ｌ１を出射する第１のレーザ光源１５ａを主光軸ｘ１上に、ＣＤ用の波長７８０ｎｍの第２のレーザ光Ｌ２を出射する第２のレーザ光源１５ｂを主光軸ｘ１から外れた位置に配置したが、これら２つのレーザ光源１５ａ及び１５ｂの配置はこれに限定されるものではなく、第２のレーザ光源１５ａを主光軸ｘ１上に配置し、第１のレーザ光源１５ａを主光軸から外れた位置に配置することも可能である。上記対物レンズ２０のように波長が異なるレーザ光に対応した対物レンズでは、一般的に、ＤＶＤで使用される波長のレーザ光に対してはアプラナート（光軸上の特定の位置にある像点について、球面収差が補正され、正弦条件が満足されたレンズ）とされ、ＣＤで使用される波長のレーザ光に対してはアプラナートではないように設計されている場合があるが、この場合では、ＤＶＤ用のレーザ光源をレーザ光学系の光軸上に、ＣＤ用のレーザ光源をレーザ光学系の光軸から外れた位置に配置することになる。
【００６４】
さらに、上記コリメータレンズ１８の屈折力を、図５に示すように、レーザ発光素子１５とビームスプリッタ１７との間に配置された第１のカップリングレンズ１８ａと、通常のコリメータレンズの位置に配置された第２のカップリングレンズ１８ｂとに分割しても良い。この場合、第１のカップリングレンズ１８ａをレーザ発光素子１５とビームスプリッタ１７との間に配置し、第２のカップリングレンズ１８ｂを通常のコリメータレンズの位置に配置する。したがって、コリメータレンズ１８を２つに分割してコマ収差を補正するようにした場合であっても、増えた分のレンズを配置する新たなスペースを必要とすることがない。
【００６５】
なお、上記実施の形態において示した各部の具体的な形状及び構造は、何れも本発明を実施するに際して行う具体化のほんの一例を示したものに過ぎず、これらによって本発明の技術的範囲が限定的に解釈されることがあってはならないものである。
【００６６】
【発明の効果】
以上に記載したところから明らかなように、本発明光学ピックアップは、光記録媒体に対しレーザ光を照射することによって情報の記録及び／又は読み取りを行う光学ピックアップであって、第１の波長のレーザ光を出射する第１のレーザ光源と第２の波長のレーザ光を出射する第２のレーザ光源と第１のレーザ光源及び第２のレーザ光源から出射されたレーザ光が入射されるコリメータレンズと該コリメータレンズを透過したレーザ光を光記録媒体の記録層に集光させる対物レンズとを有するレーザ光学系を備え、第１のレーザ光源及び第２のレーザ光源は双方を近傍に配置すると共に、一方をレーザ光学系の光軸上に、他方をレーザ光学系の光軸上から外れた位置にそれぞれ配置し、光軸から外れた位置に配置されたレーザ光源から出射されたレーザ光が入射したときにコマ収差が発生するようにコリメータレンズを構成し、該コリメータレンズで発生するコマ収差が、光軸から外れた位置に配置されたレーザ光源から出射されたレーザ光が対物レンズに入射したときに発生するコマ収差を補正するようにしたことを特徴とする。
【００６７】
したがって、本発明光学ピックアップにあっては、コリメータレンズで発生するコマ収差によって対物レンズで発生するコマ収差が補正されるため、光記録媒体の記録層上に各種特性が良好なビームスポットを形成することができる。
【００６８】
請求項２に記載した発明にあっては、コリメータレンズと対物レンズとの間に、コリメータレンズから出射したレーザ光を対物レンズの方向に反射させる反射手段を設けたので、コリメータレンズで発生するコマ収差と対物レンズで発生するコマ収差とは、コリメータレンズ及び対物レンズに入射するレーザ光の入射角度に比例するので、上記第１のレーザ光源と第２レーザの光源との間の間隔がばらついて、上記各レンズへの入射角度が変わっても、コリメータレンズに関して位置などの調整を行うことなしに、対物レンズで発生するコマ収差をコリメータレンズで発生するコマ収差によって補正することができる。
【００６９】
請求項３に記載した発明にあっては、コリメータレンズは、一方の面を凹面、他方の面を凸面によって構成したので、光軸に対して傾斜したレーザ光が入射したときに、コマ収差を発生させることができる。
【００７０】
請求項４に記載した発明にあっては、コリメータレンズは、少なくとも一方の面を非球面によって構成したので、コリメータレンズから出射されるレーザ光の光学特性を良好にすることができる。
【００７１】
本発明ディスクドライブ装置にあっては、回転するディスク状をした光記録媒体に対し、該光記録媒体の半径方向に移動自在とされた光学ピックアップによって情報の記録及び／又は読み取りを行うディスクドライブ装置であって、光学ピックアップが、第１の波長のレーザ光を出射する第１のレーザ光源と第２の波長のレーザ光を出射する第２のレーザ光源と第１のレーザ光源及び第２のレーザ光源から出射されたレーザ光が入射されるコリメータレンズと該コリメータレンズを透過したレーザ光を光記録媒体の記録層に集光させる対物レンズとを有するレーザ光学系を備え、第１のレーザ光源及び第２のレーザ光源は双方を近傍に配置すると共に、一方をレーザ光学系の光軸上に、他方をレーザ光学系の光軸上から外れた位置にそれぞれ配置し、光軸から外れた位置に配置されたレーザ光源から出射されたレーザ光が入射したときにコマ収差が発生するようにコリメータレンズを構成し、該コリメータレンズで発生するコマ収差が、光軸から外れた位置に配置されたレーザ光源から出射されたレーザ光が対物レンズに入射したときに発生するコマ収差を補正するようにしたことを特徴とする。
【００７２】
したがって、本発明ディスクドライブ装置にあっては、コリメータレンズで発生するコマ収差によって対物レンズで発生するコマ収差が補正されるため、光記録媒体の記録層上に各種特性が良好なビームスポットを形成することができる。
【００７３】
請求項６に記載した発明にあっては、コリメータレンズと対物レンズとの間に、コリメータレンズから出射したレーザ光を対物レンズの方向に反射させる反射手段を設けたので、コリメータレンズで発生するコマ収差と対物レンズで発生するコマ収差とは、コリメータレンズ及び対物レンズに入射するレーザ光の入射角度に比例するので、上記第１のレーザ光源と第２レーザの光源との間の間隔がばらついて、上記各レンズへの入射角度が変わっても、コリメータレンズに関して位置などの調整を行うことなしに、対物レンズで発生するコマ収差をコリメータレンズで発生するコマ収差によって補正することができる。
【００７４】
請求項７に記載した発明にあっては、コリメータレンズは、一方の面を凹面、他方の面を凸面によって構成したので、光軸に対して傾斜したレーザ光が入射したときに、コマ収差を発生させることができる。
【００７５】
請求項８に記載した発明にあっては、コリメータレンズは、少なくとも一方の面を非球面によって構成したので、コリメータレンズから出射されるレーザ光の光学特性を良好にすることができる。
【図面の簡単な説明】
【図１】図２乃至図５と共に本発明の実施の形態を示すものであり、本図はディスクドライブ装置の外観を概略的に示す斜視図である。
【図２】ディスクドライブ装置の内部構成を概略的に示す分解斜視図である。
【図３】ディスクドライブ装置の回路構成を示す概略図である。
【図４】光学ピックアップの構成を概略的に示す図である。
【図５】コリメータレンズの変形例を用いた光学ピックアップの構成を概略的に示す図である。
【図６】従来の光学ピックアップの一例を概略的に示す図である。
【符号の説明】
１…ディスクドライブ装置、１２…光学ピックアップ、１５ａ…第１のレーザ光源、１５ｂ…第２のレーザ光源、１６…レーザ光学系、１８…コリメータレンズ、１９…反射手段、２０…対物レンズ、Ｌ１…第１の波長のレーザ光、Ｌ２…第２の波長のレーザ光、ｘ１…レーザ光学系の光軸、Ｓ１…凹面に構成された面、Ｓ２…凸面（非球面）に構成された面、１００Ａ…ディスク状光記録媒体、１００Ｂ…ディスク状光記録媒体
【図１】
2004013946.tif 000003
【図２】
2004013946.tif 000004
【図３】
2004013946.tif 000005
【図４】
2004013946.tif 000006
【図５】
2004013946.tif 000007
【図６】
2004013946.tif 000008